(57)【要約】  タービンノズルセグメントが、複数のタブ（１５２）を有するバンド（１２４）と、バンドから延びるエーロフォイルと、タブに取り付けられた支持構造（１６６）とを含む。支持構造は、複数のバイアス構造（１６８）を有する。複数のバイアス構造のうちの少なくとも１つは、第１のバンドの周縁端に隣接することができる。支持構造は、タブに関係付けられた複数のスロットを有することができる。タービンノズルセグメントは、第２のバンドをさらに備えることができ、エーロフォイルは第１のバンドと第２のバンドとの間を延びることができる。【選択図】図３
2011508152.tif 000002
【特許請求の範囲】
【請求項１】
複数のタブを有する第１のバンドと、
前記第１のバンドから延びるエーロフォイルと、
前記複数のタブに取り付けられた支持構造であって、複数のバイアス構造を有する支持構造と
を備えるタービンノズルセグメント。
【請求項２】
前記複数のバイアス構造のうちの少なくとも１つが、前記第１のバンドの周縁端に隣接する、請求項１記載のタービンノズルセグメント。
【請求項３】
前記支持構造が、前記タブに関係付けられた複数のスロットを有するバーを含む、請求項１又は２記載のタービンノズルセグメント。
【請求項４】
第２のバンドをさらに備えており、
前記エーロフォイルが前記第１のバンドと前記第２のバンドとの間を延びる、請求項１乃至３のいずれか１項記載のタービンノズルセグメント。
【請求項５】
前記第１のバンドから延び、前記複数のタブから離隔され、それらの間に陥凹部を画定するレールと、
前記陥凹部内に配置されたリーフシールと
をさらに備える、請求項１乃至４のいずれか１項記載のタービンノズルセグメント。
【請求項６】
前記タブおよび前記支持構造それぞれを貫いて延びる、前記支持構造を前記第１のバンドに取り付けるピンをさらに含む、請求項１乃至５のいずれか１項記載のタービンノズルセグメント。
【請求項７】
前記バイアス構造が、コイルばね、フィンガばね、およびねじりばねからなる群から選択される、請求項１乃至６のいずれか１項記載のタービンノズルセグメント。
【請求項８】
前記バイアス構造が前記支持構造と一体である、請求項１乃至７のいずれか１項記載のタービンノズルセグメント。
【請求項９】
前記支持構造に関係付けられたロッドをさらに含む、請求項１乃至８のいずれか１項記載のタービンノズルセグメント。
【請求項１０】
前記バイアス構造が前記ロッド上に位置決めされる、請求項９記載のタービンノズルセグメント。
【請求項１１】
複数のタブを有する第１のバンドと、
前記第１のバンドから延びるエーロフォイルと、
前記複数のタブに取り付けられた支持構造であって、周方向に離隔された複数のバイアス構造を有する支持構造とを備え、
前記バイアス構造のうちの１つが前記第１のバンドの第１の周縁端に隣接し、前記バイアス構造のもう１つが前記第１のバンドの第２の周縁端に隣接する、タービンノズルセグメント。
【請求項１２】
第２のバンドをさらに備えており、
前記エーロフォイルが前記第１のバンドと前記第２のバンドとの間を延びる、請求項１１記載のタービンノズルセグメント。
【請求項１３】
前記第１のバンドから延び、前記複数のタブから離隔され、それらの間に陥凹部を画定するレールと、
前記陥凹部内に配置されたリーフシールとをさらに含む、請求項１２記載のタービンノズルセグメント。
【請求項１４】
前記タブおよび前記支持構造それぞれを貫いて延びる、前記支持構造を前記第１のバンドに取り付けるピンをさらに含む、請求項１３記載のタービンノズルセグメント。
【請求項１５】
前記バイアス構造が、コイルばね、フィンガばね、およびねじりばねからなる群から選択される、請求項１４記載のタービンノズルセグメント。
【請求項１６】
前記支持構造が、前記タブに関係付けられた複数のスロットを有するバーを含む、請求項１５記載のタービンノズルセグメント。
【請求項１７】
前記バイアス構造が前記支持構造と一体である、請求項１５記載のタービンノズルセグメント。
【請求項１８】
前記支持構造に関係付けられたロッドをさらに含む、請求項１５記載のタービンノズルセグメント。
【請求項１９】
前記バイアス構造が前記ロッド上に位置決めされる、請求項１８記載のタービンノズルセグメント。
【請求項２０】
複数の前記バイアス構造が、前記第１のバンドの前記第１の周縁端と前記第１のバンドの前記第２の周縁端との間に位置決めされる、請求項１５記載のタービンノズルセグメント。
【発明の詳細な説明】
【技術分野】
【０００１】
例示的な諸実施形態は、一般に、ガスタービンエンジン構成部品に関し、より詳細には、タービンノズルアセンブリ用のリーフシールアセンブリに関する。
【背景技術】
【０００２】
ガスタービンエンジンは、通常、圧縮機、燃焼器、および少なくとも１つのタービンを含む。圧縮機は空気を圧縮することができ、その空気は、燃料と混合し燃焼器に運ぶことができる。次いで、その混合物に点火して、高温の燃焼ガスを発生させることができ、その燃焼ガスをタービンに運ぶことができる。タービンは、その燃焼ガスから、圧縮機に動力を供給するエネルギー、ならびに、飛行中の航空機を推進させるため、または発電機などの負荷に動力を供給するために有用な仕事を生み出すエネルギーを取り出すことができる。
【０００３】
タービンは、ステータアセンブリおよびロータアセンブリを含むことができる。ステータアセンブリは、内側バンドと外側バンドとの間で径方向に延びる周方向に離隔された複数のエーロフォイルを有し、これらが燃焼ガスを送るための流路を画定する、固定式ノズルアセンブリを含むことができる。通常、エーロフォイルおよびバンドは、複数のセグメントの形に形成され、これらのセグメントは、内側バンドと外側バンドとの間で径方向に延びる離隔された１つ（通常、シングレット（ｓｉｎｇｌｅｔ）と呼ばれる）または２つのエーロフォイルを含むことができる。これらのセグメントは、１つに接合されてノズルアセンブリを形成する。
【０００４】
ロータアセンブリは、ステータアセンブリの下流におくことができ、また、ディスクから径方向外側に向かって延びる複数のブレードを含むことができる。各ロータブレードは、プラットフォームと翼端との間で延びることができるエーロフォイルを含むことができる。各ロータブレードはまた、プラットフォームの下方で延び、ディスク内の対応するスロットで受けることができる翼根部を含むことができる。あるいは、ディスクは、翼根部の必要を緩和できるブリスクまたはブレード付きディスクとすることもでき、エーロフォイルは、ディスクから直接延びることもできる。ロータアセンブリは、翼端のところで固定式環状シュラウドと径方向に境界を接することができる。シュラウドおよびプラットフォーム（またはディスク（ブリスクの場合））は、燃焼ガスを運ぶための流路を画定する。ノズルおよびシュラウドは、別々に製造され、エンジンに組み立てられる。したがって、それらの間には、組立ての目的ならびにエンジン運転中の熱膨張および熱収縮の差を調整する目的で、必然的に隙間が設けられる。
【０００５】
固定式構成部品間の隙間は、それらを通じた漏れを防ぐために適切に封止される。典型的なタービンノズルでは、空気の一部分は、圧縮機から抽気され、ノズルを冷却するためにそれらのノズルを通って運ばれる。抽気の使用は、エンジンの全体的な効率を低下させるので、可能なときは常に最小限に抑えられる。抽気は、タービンノズル内を流れる燃焼ガスの圧力よりも大きい、比較的高い圧力にある。したがって、固定式構成部品間に適切なシールが設けられていない場合、抽気は、流路内に漏れることになる。
【０００６】
これらの隙間を封止するために使用される典型的なシールは、リーフシールである。典型的なリーフシールは、アーチ形であり、ステータ構成部品の周囲に端から端まで（ｅｎｄ  ｔｏ  ｅｎｄ）配置される。例えば、ノズルの径方向外側のバンドは、軸方向に離隔された前方レールおよび後方レールを含む。レールは、径方向外側に向かって延び、これだけに限るものではないが、シュラウド、シュラウドハンガ、および／または燃焼器ライナなど、隣接した構造構成部品の相補的な表面に当接し、レールとともに１次摩擦封止をもたらす。リーフシールは、この接合部のところで２次封止をもたらし、レールの一部分と隣接した構造構成部品とを橋渡しする。リーフシールは、通常、隣接した構造構成部品のうちの１つに固定されたピンに沿って摺動するように適合された、比較的薄いコンプライアントな部品片である。
【０００７】
封止されるべき構造構成部品の特定の形状にかかわらず、リーフシールは、それらのリーフシールが各構造構成部品と係合してそれらの間のスペースを封止する閉じた封止位置、およびリーフシールの少なくとも一部分が構造構成部品から係脱してそのような構成部品間のガスの通過を可能にする開位置に移動可能である。ほとんどの用途で、ピンに沿ったリーフシールの閉位置への移動は、シールをまたぐ圧力差を加えることによって達成され、すなわち、シールの片側の相対的に高い圧力と、その反対側の比較的低い圧力とが、隣接した構造構成部品の表面に接する閉じた封止位置にシールを押し動かして、それらの構造構成部品間のガスの通過を防ぐ。
【０００８】
リーフシールは、タービンエンジンにおいて広く使用されているが、液密封止を生み出す上でのリーフシールの有効性は、シールの片側と他方の側との間に十分な圧力差があることによって決まる。タービンエンジンのある運転段階の間には、リーフシールの両側の流体圧力差が比較的低い。これらの条件下では、リーフシールが、ターボ機械の当接する構造構成部品との係合から外れ、構造構成部品間に漏れを生じさせることが起こりうる。また、リーフシールをまたぐ比較的小さな圧力差があると、リーフシールが接触している構造構成部品に対してリーフシールが移動または振動することができる。タービンエンジンの運転および他の振動源によって引き起こされるリーフシールのこの振動は、リーフシール、およびリーフシールが接する構造構成部品の表面の、望ましくない摩損を生み出す。このような摩損は、単にリーフシールとタービンエンジンの構造構成部品との間のガス漏れをまねくだけでなく、それらの早期故障を引き起こすおそれがある。
【０００９】
この問題を克服するために、他の設計は、リーフシールをある特定の位置に向かって偏倚させる、ばねなどのバイアス構造を含んできた。例えば、バンドは、レールから軸方向に離隔された、径方向に延びる、周方向に離隔された２つのタブを有することができる。タブとレールとの間に陥凹部を形成することができ、そこにリーフシールおよびばねが配置される。タブ、リーフシール、およびばねは、バンドに据え付けるピンを受ける穴を含むことができる。タブの少なくとも１つは、通常、バンドの周縁端から離隔される。タブ、リーフシール、およびばねは、常にリーフシールを閉じた封止位置で維持するために、ばねがリーフシールを隣接した構造構成部品に押し当てるように配置される。
【００１０】
これだけに限るものではないが、低排出燃焼器など、一部の場合には、この構成は、十分ではない。例えば、低排出燃焼器は、火炎不安定になりやすく、音響共振および高い動的圧力変動をまねくおそれがある。高振動数の圧力変動は、隣接した構造構成部品に接するシールに繰り返し載荷／除荷することによって、リーフシール、特に、燃焼器ライナの後方縁部とノズルバンドの前縁との間のリーフシールを損傷するおそれがある。シールは、特に、それらのシールがばねおよび／またはタブによって支持されていない場合に損傷を受けやすい。シールは、それらの周縁端、および／またはバンド上のタブ間で、完全には支持されないことがある。
【先行技術文献】
【特許文献】
【００１１】
【特許文献１】国際公開第０１／７１１７５号
【発明の概要】
【課題を解決するための手段】
【００１２】
例示的な一実施形態では、タービンノズルセグメントは、複数のタブを有するバンドと、バンドから延びるエーロフォイルと、タブに取り付けられた支持構造とを含む。支持構造は、複数のバイアス構造を有する。
【００１３】
他の例示的な実施形態では、タービンノズルセグメントは、複数のタブを有するバンドと、バンドから延びるエーロフォイルと、タブに取り付けられた支持構造とを含む。支持構造は、周方向に離隔された複数のバイアス構造を有する。バイアス構造のうちの１つは、バンドの第１の周縁端に隣接し、バイアス構造のもう１つは、バンドの第２の周縁端に隣接する。
【図面の簡単な説明】
【００１４】
【図１】例示的なガスタービンエンジンの概略断面図である。
【図２】例示的なタービンノズルアセンブリの概略断面図である。
【図３】例示的なタービンノズルセグメントの斜視図である。
【図４】例示的なタービンノズルセグメントで使用するための例示的な支持構造の斜視図である。
【図５】例示的なタービンノズルリーフシールアセンブリの拡大断面図である。
【図６】例示的なタービンノズルセグメントの上面図である。
【図７】他の例示的なタービンノズルアセンブリの概略断面図である。
【図８】他の例示的なタービンノズルセグメントの斜視図である。
【図９】例示的なタービンノズルセグメントで使用するための他の例示的な支持構造の斜視図である。
【図１０】他の例示的なタービンノズルリーフシールアセンブリの拡大断面図である。
【図１１】他の例示的なタービンノズルセグメントの上面図である。
【図１２】他の例示的なタービンノズルアセンブリの概略断面図である。
【図１３】他の例示的なタービンノズルセグメントの斜視図である。
【図１４】例示的なタービンノズルセグメントで使用するための他の例示的な支持構造の斜視図である。
【図１５】他の例示的なタービンノズルリーフシールアセンブリの拡大断面図である。
【図１６】他の例示的なタービンノズルセグメントの上面図である。
【発明を実施するための形態】
【００１５】
図１は、例示的なガスタービンエンジン１００の概略断面図を示す。ガスタービンエンジン１００は、低圧圧縮機１０２、高圧圧縮機１０４、燃焼器１０６、高圧タービン１０８、および低圧タービン１１０を含むことができる。低圧圧縮機は、シャフト１１２を通じて低圧タービンに結合することができる。高圧圧縮機１０４は、シャフト１１４を通じて高圧タービン１０８に結合することができる。運転時には、空気は、低圧圧縮機１０２および高圧圧縮機１０４を通って流れる。高度に圧縮された空気は、燃焼器１０６に供給され、その燃焼器１０６で燃料と混合され、点火されて燃焼ガスを発生させる。燃焼ガスは、燃焼器１０６から運ばれて、タービン１０８およびタービン１１０を駆動する。タービン１１０は、シャフト１１２を通じて低圧圧縮機１０２を駆動する。タービン１０８は、シャフト１１４を通じて高圧圧縮機１０４を駆動する。
【００１６】
図２に示したように、高圧タービン１０８は、タービンノズルアセンブリ１１６を含むことができる。タービンノズルアセンブリ１１６は、燃焼器１０６の下流とすることもでき、またはタービンブレードの列とすることもできる。タービンノズルアセンブリ１１６は、タービンノズルセグメント１１８の環状アレイを含む。複数のアーチ形タービンノズルセグメント１１８を１つに接合して、環状タービンノズルアセンブリ１１６を形成することができる。図２〜図１６に示したように、ノズルセグメント１１８は、内側バンド１２２と外側バンド１２４との間を延びる１つまたは複数のエーロフォイル１２０を含むことができる。エーロフォイル１２０は、中空で、内部冷却通路を有することもでき、または１つもしくは複数の冷却インサートを受けることもできる。エーロフォイル１２０、内側バンド１２２、および／または外側バンド１２４は、一体的に鋳造された部品として形成することもでき、または別個に形成し、蝋付け（brazing）によって１つに接合することもできる。例えば、エーロフォイル１２０を外側バンド１２４と一体的に鋳造することができ、内側バンド１２２をエーロフォイルに蝋付けすることができる。内側バンド１２２および外側バンド１２４は、ノズルセグメント１１８を上流および下流の隣接構成部品に連結する、軸方向に離隔された１つまたは複数のレールを有することができる。
【００１７】
内側バンド１２２は、前方レール１２６および後方レール１２８を含むことができる。内側バンド１２２は、また、周方向に離隔された複数のタブ１３０を有することができる。タブ１３０は、前方レール１２６から軸方向に離隔されて、タブ１３０と前方レール１２６との間に陥凹部１３２を画定することができる。リーフシール１３４は、陥凹部１３２内に配置することができ、また隣接構成部品に当接するように位置決めすることができる。例示的な一実施形態では、隣接構成部品は、燃焼器ライナ１３６などの燃焼器ライナとすることができる。他の例示的な実施形態では、隣接構成部品は、タービンシュラウドとすることができる。
【００１８】
外側バンド１２４は、前方レール１４８および後方レール１５０を含むことができる。外側バンド１２４は、また、周方向に離隔された複数のタブ１５２を有することができる。タブ１５２は、前方レール１４８から軸方向に離隔されて、タブ１５２と前方レール１４８との間に陥凹部１５４を画定することができる。リーフシール１５６は、陥凹部１５４内に配置することができ、また隣接構成部品に当接するように位置決めすることができる。例示的な一実施形態では、隣接構成部品は、燃焼器ライナ１５８などの燃焼器ライナとすることができる。他の例示的な実施形態では、隣接構成部品は、タービンシュラウドとすることができる。
【００１９】
図２〜図６に示したように、例示的な一実施形態では、リーフシールアセンブリ１７０をタービンノズルセグメント１１８に取り付けることができる。この例示的な実施形態を外側バンド１２４に関して説明し、示す。この例示的な実施形態を、また、内側バンド１２２にも適用でき、外側バンド１２４だけに限定すべきではないことが明らかなはずである。リーフシールアセンブリ１７０は、支持構造１６６を含むことができる。支持構造１６６は、バー１７２、複数のスロット１７４、および複数のバイアス構造１６８を有することができる。バー１７２は、タブ１５２をバー１７２内のスロット１７４と位置合わせし、次いでタブ１５２をスロット１７４に挿入することによって、外側バンド１２４に取り付けられる。取付けを完了し、諸構成部品を適所で保持するために、ピン１６０を、タブ１５２内の穴１６２と位置合わせされたバー１７２内の穴１７６に通して置くことができる。バー１７２内の穴１７６のうちの少なくとも１つは、諸構成部品とともに起こりうる熱膨張を考慮するために、他の穴よりも大きなサイズとすることができる。例えば、穴１７６のうちの１つをレーストラック穴とすることができる。バイアス構造１６８は、バー１７２に取り付けることもでき、またはバー１７２と一体とすることもできる。例えば、バイアス構造１６８は、ピン１８０によって取り付けることができる。ピン１８０は、バー１７２内の穴１７８、およびリーフシール１５６内の穴１６４に通して置くことができる。バイアス構造１６８は、また、バー１７２に蝋付けすることもでき、またはバー１７２とともに１部品構造として形成することもできる。周方向に離隔された任意の数のバイアス構造１６８が存在してよい。これだけに限るものではないが、コイルばね、ばねフィンガ、ねじりばね、他の任意のバイアス構造など、当該技術分野で知られている任意のタイプのバイアス構造を使用することができる。例示的な一実施形態では、１つのバイアス構造が外側バンド１２４の周縁端１８２に隣接し、１つのバイアス構造が外側バンド１２４の他の周縁端１８４に隣接し、それらの間に１つまたは複数のバイアス構造が位置することができる。
【００２０】
図７〜図１１に示したように、他の例示的な実施形態では、リーフシールアセンブリ１８６をタービンノズルセグメント１１８に取り付けることができる。この例示的な実施形態を外側バンド１２４に関して説明し、示す。この例示的な実施形態を、また、内側バンド１２２にも適用でき、外側バンド１２４だけに限定すべきではないことが明らかなはずである。リーフシールアセンブリ１８６は、支持構造１８８を含むことができる。支持構造１８８は、バー１９０および複数のバイアス構造１９２を有することができる。バー１９０は、ピン１６０を、タブ１５２内の穴１６２と位置合わせされたバー１９０内の穴１９４、およびリーフシール１５６内の穴１６４に通して置くことによって、外側バンド１２４に取り付けられる。また、バイアス構造１９１をピン１６０に取り付けることができる。バイアス構造１９２は、バー１９０と一体とすることができる。例えば、バー１９０およびバイアス構造１９２は、板金または他の類似材料の断片を曲げて切断することによって形成することができる。周方向に離隔することができる任意の数のバイアス構造１９２が存在してよい。例示的な一実施形態では、複数のバイアス構造１９２が外側バンド１２４の周縁端１８２に隣接し、複数のバイアス構造が外側バンド１２４の他の周縁端１８４に隣接し、それらの間に複数のバイアス構造が位置することができる。
【００２１】
図１２〜図１６に示したように、他の例示的な実施形態では、リーフシールアセンブリ１９４をタービンノズルセグメント１１８に取り付けることができる。この例示的な実施形態を外側バンド１２４に関して説明し、示す。この例示的な実施形態を、また、内側バンド１２２にも適用でき、外側バンド１２４だけに限定すべきではないことが明らかなはずである。リーフシールアセンブリ１９４は、支持構造１９６を含むことができる。支持構造１９６は、バー１９８、１つもしくは複数のロッド２００、および複数のバイアス構造２０２を有することができる。バー１９８は、ピン１６０を、タブ１５２内の穴１６２と位置合わせされたバー１９０内の穴２０４、およびリーフシール１５６内の穴１６４に通して置くことによって、外側バンド１２４に取り付けられる。バイアス構造２０２は、バー１９８に取り付けられたロッド２００上に置くことができる。周方向に離隔することができる任意の数のバイアス構造２０２が存在してよい。例示的な一実施形態では、複数のバイアス構造２０２が外側バンド１２４の周縁端１８２に隣接し、複数のバイアス構造が外側バンド１２４の他の周縁端１８４に隣接し、それらの間に複数のバイアス構造が位置することができる。
【００２２】
運転中、リーフシールは、偏倚して隣接構成部品と当接し、タービンノズルセグメントと隣接構成部品との間に封止をもたらす。ここに記載の例示的な諸実施形態は、これだけに限るものではないが、内側バンドおよび／または外側バンドの周縁端に隣接した領域や、それらの間の中央領域など、損傷を受けやすい領域において、リーフシールに追加の支持をもたらす。例示的な諸実施形態は、また、機械的封止荷重を増大させ、リーフシールの支持されない長さを短縮する。
【００２３】
本明細書の記載は、当業者が例示的な諸実施形態を製造し使用できるようにするために、最良の形態を含めた例示的な諸実施形態を開示している。特許性のある範囲は、特許請求の範囲によって定義され、当業者が思いつく他の諸実施例を含む可能性がある。そのような他の諸実施例は、それらが請求項の文字通りの文言と相違しない構造的要素を有する場合、またはそれらが請求項の文字通りの文言と実質的に相違しない均等な構造的要素を含む場合、特許請求の範囲内にあるものとする。
【符号の説明】
【００２４】
１００  ガスタービンエンジン
１０２  低圧圧縮機
１０４  高圧圧縮機
１０６  燃焼器
１０８  高圧タービン
１１０  低圧タービン
１１２  シャフト
１１４  シャフト
１１６  タービンノズルアセンブリ
１１８  タービンノズルセグメント
１２０  エーロフォイル
１２２  内側バンド
１２４  外側バンド
１２６  前方レール
１２８  後方レール
１３０  タブ
１３２  陥凹部
１３４  リーフシール
１３６  燃焼器ライナ
１４８  前方レール
１５０  後方レール
１５２  タブ
１５４  陥凹部
１５６  リーフシール
１５８  燃焼器ライナ
１６０  ピン
１６２  穴
１６４  穴
１６６  支持構造
１６８  バイアス構造
１７０  リーフシールアセンブリ
１７２  バー
１７４  スロット
１７６  穴
１７８  穴
１８０  ピン
１８２  周縁端
１８４  周縁端
１８６  リーフシールアセンブリ
１８８  支持構造
１９０  バー
１９１  バイアス構造
１９２  バイアス構造
１９４  穴
１９６  支持構造
１９８  バー
２００  ロッド
２０２  バイアス構造（偏倚構造）
【図１】
2011508152.tif 000003
【図２】
2011508152.tif 000004
【図３】
2011508152.tif 000005
【図４】
2011508152.tif 000006
【図５】
2011508152.tif 000007
【図６】
2011508152.tif 000008
【図７】
2011508152.tif 000009
【図８】
2011508152.tif 000010
【図９】
2011508152.tif 000011
【図１０】
2011508152.tif 000012
【図１１】
2011508152.tif 000013
【図１２】
2011508152.tif 000014
【図１３】
2011508152.tif 000015
【図１４】
2011508152.tif 000016
【図１５】
2011508152.tif 000017
【図１６】
2011508152.tif 000018
【国際調査報告】
2011508152.tif 000019
2011508152.tif 000020
2011508152.tif 000021